(57)【要約】【課題】端末内に記憶された連絡先情報を元に受信した情報をより簡単に分類して表示する情報通信端末、情報分類方法、及び、情報分類プログラムを提供する。【解決手段】携帯電話１は、メールデータ８６による受信メールの表示を、その受信情報における発信元とアドレス帳データ８４の名前情報に対応する複数の宛先情報とを照合し、当該名前情報に基づいたフォルダに分類して表示する。さらに、情報通信端末１は、名前情報に基づいたフォルダが選択された場合に、当該名前情報に対応する複数の宛先情報と発信元が一致する受信メールを一覧表示する。【選択図】図３
2006293828.tif 000002
【特許請求の範囲】
【請求項１】
一つの名前情報と複数の宛先情報とを対応づけて格納する通信先記憶手段と、
発信元が付加された情報を受信する受信手段と、
この受信手段によって受信された情報を記憶する受信情報記憶手段と、
この受信情報記憶手段に記憶された情報の発信元と前記通信先記憶手段に記憶されている宛先情報とを順次照合する照合手段と、
この照合手段による照合の結果、前記発信元と一致する宛先情報が存在すると、この宛先情報に対応付けられている名前情報を付した分類項目を設定する設定手段と、
この設定手段によって設定された分類項目を前記発信元が照合された情報に関連付けして前記受信情報記憶手段に記憶させる記憶制御手段と、
を備えたことを特徴とする情報通信端末。
【請求項２】
前記受信情報記憶手段に記憶された情報を表示するよう指示する指示手段と、
この指示手段による情報の表示が指示されると、前記受信情報記憶手段に記憶されている情報に前記分類項目が関連付けられているものが存在するか否かを判断する判断手段と、
この判断手段によって前記分類項目が関連付けられている情報が存在すると判断すると、この分類項目に沿って前記受信情報記憶手段に記憶された情報を階層的に表示する表示手段と、
を備えたことを特徴とする請求項１に記載の情報通信端末。
【請求項３】
前記表示手段は、前記判断手段によって前記分類項目が関連付けられている情報が存在すると判断すると、この分類項目に付された名前情報をフォルダ名として前記受信情報記憶手段に記憶された情報を階層的に表示することを特徴とする請求項２に記載の情報通信端末。
【請求項４】
一つの名前情報と複数の宛先情報とを対応づけて格納する第１のメモリを備えた情報通信端末における情報分類方法であって、
発信元が付加された情報を受信する受信ステップと、
この受信ステップにて受信された情報を第２のメモリに記憶させる記憶ステップと、
この記憶ステップにて第２のメモリに記憶された情報の発信元と前記第１のメモリに記憶されている宛先情報とを順次照合する照合ステップと、
この照合ステップによる照合の結果、前記発信元と一致する宛先情報が存在すると、この宛先情報に対応付けられている名前情報を付した分類項目を設定する設定ステップと、
この設定ステップにて設定された分類項目を前記発信元が照合された情報に関連付けして前記第２のメモリに記憶させる記憶制御ステップと
からなることを特徴とする情報分類方法。
【請求項５】
前記第２のメモリに記憶された情報を表示するよう指示する指示ステップと、
この指示ステップにて情報の表示が指示されると、前記第２のメモリに記憶されている情報に前記分類項目が関連付けられているものが存在するか否かを判断する判断ステップと、
この判断ステップにて前記分類項目が関連付けられている情報が存在すると判断すると、この分類項目に沿って前記第２のメモリに記憶された情報を階層的に表示するよう表示出力する表示ステップと
を更に含むことを特徴とする請求項４に記載の情報分類方法。
【請求項６】
一つの名前情報と複数の宛先情報とを対応づけて格納する第１のメモリを備えた情報通信端末が実行する情報分類プログラムであって、
発信元が付加された情報を受信する受信ステップと、
この受信ステップにて受信された情報を第２のメモリに記憶させる記憶ステップと、
この記憶ステップにて第２のメモリに記憶された情報の発信元と前記第１のメモリに記憶されている宛先情報とを順次照合する照合ステップと、
この照合ステップによる照合の結果、前記発信元と一致する宛先情報が存在すると、この宛先情報に対応付けられている名前情報を付した分類項目を設定する設定ステップと、
この設定ステップにて設定された分類項目を前記発信元が照合された情報に関連付けして前記第２のメモリに記憶させる記憶制御ステップと
を実行させることを特徴とする情報分類プログラム。 
【発明の詳細な説明】
【技術分野】
【０００１】
本発明は、例えば、電子メール等の情報を受信、管理する機能を備える情報通信端末、情報分類方法、及び、情報分類プログラムに関する。
【背景技術】
【０００２】
近年、携帯電話、ＰＤＡ（Personal  Digital  Assistant）などの情報通信端末においては、他の情報端末から発信された情報を受信して表示する機能を備えるものが数多く開発されている。
この情報通信端末では、人物ごとの住所、氏名、及び電子メールや電話番号などの複数の通信の宛先に関する情報がアドレス帳として格納され、受信した情報を表示する際にどの人物からの情報であるかを表示する機能を備えるものが一般的である。
更には、メールアドレス（発信元）を設定してフォルダ毎に受信した情報を分類する機能を備えるものもあり、例えば、特許文献１には、受信した情報を自動的にグループ分けして記憶及び読み出しができる情報受信に関する技術が開示されている。
【特許文献１】特開平１１−１１２６４７号公報
【発明の開示】
【発明が解決しようとする課題】
【０００３】
しかしながら、上述した技術を用いてメールアドレスなどで分類する構成では、メールアドレスと発信者とが一対一で登録されているため、アドレス帳に同一人物として登録されている発信者が登録されていないメールアドレスを発信元として送信すると、その情報が異なるフォルダやグループに分けられてしまうことがあるため、必ずしも利用者にとって使いやすい仕様とは言えなかった。
【０００４】
さらに、受信した情報をフォルダやグループ分けを行なう場合は、振り分ける条件として電子メールアドレスや件名などのキーワードを予め利用者が登録しなければならず、アドレス帳への連絡先などの登録の他に振り分けに関する登録も行なう必要がある。このため、設定操作に不慣れな利用者には難易度の高いものであった。
【０００５】
そこで本発明は、端末内に記憶された連絡先情報を元に受信した情報をより簡単に分類して表示する情報通信端末、情報分類方法、及び、情報分類プログラムを提供することを目的とするものである。
【課題を解決するための手段】
【０００６】
上記課題を解決するために、請求項１に記載の発明は、一つの名前情報と複数の宛先情報とを対応づけて格納する通信先記憶手段と、発信元が付加された情報を受信する受信手段と、この受信手段によって受信された情報を記憶する受信情報記憶手段と、この受信情報記憶手段に記憶された情報の発信元と前記通信先記憶手段に記憶されている宛先情報とを順次照合する照合手段と、この照合手段による照合の結果、前記発信元と一致する宛先情報が存在すると、この宛先情報に対応付けられている名前情報を付した分類項目を設定する設定手段と、この設定手段によって設定された分類項目を前記発信元が照合された情報に関連付けして前記受信情報記憶手段に記憶させる記憶制御手段と、を備えたことを特徴とする。
【０００７】
請求項２に記載の発明は、請求項１に記載の発明において、前記受信情報記憶手段に記憶された情報を表示するよう指示する指示手段と、この指示手段による情報の表示が指示されると、前記受信情報記憶手段に記憶されている情報に前記分類項目が関連付けられているものが存在するか否かを判断する判断手段と、この判断手段によって前記分類項目が関連付けられている情報が存在すると判断すると、この分類項目に沿って前記受信情報記憶手段に記憶された情報を階層的に表示する表示手段と、を備えたことを特徴とする。
【０００８】
請求項３に記載の発明は、請求項２に記載の発明において、前記表示手段は、前記判断手段によって前記分類項目が関連付けられている情報が存在すると判断すると、この分類項目に付された名前情報をフォルダ名として前記受信情報記憶手段に記憶された情報を階層的に表示することを特徴とする。
【０００９】
更に、一つの名前情報と複数の宛先情報とを対応づけて格納する第１のメモリを備えた情報通信端末における情報分類方法であって、上述した請求項１、２に記載の発明に示した主要な機能を実現する情報分類方法を提供する（請求項４、５に記載の発明）。
【００１０】
更に、一つの名前情報と複数の宛先情報とを対応づけて格納する第１のメモリを備えた情報通信端末が実行する情報分類プログラムであって、上述した請求項１に記載の発明に示した主要な機能を実現させるための情報分類プログラムを提供する（請求項６に記載の発明）。
【００１１】
なお、ここでいう「宛先情報」とは、複数又は単数の情報機器又はアカウントを特定するものであり、ＤＮＳ（Domain Name System）などを利用して宛先となる情報機器を特定可能な文字によるアドレス、ＩＰ（Internet  Protocol）アドレス、又は上述したアドレスとそのアドレスで特定される情報機器やネットワークにおけるアカウント名とからなる情報であり、例えば、電子メールアドレスなどの情報を含むものである。
【発明の効果】
【００１２】
請求項１、４、６に記載の発明によれば、一つの名前情報と複数の宛先情報とを対応づけて格納し、発信元が付加された情報を受信して記憶し、この発信元と前記格納されている宛先情報とを順次照合して、その結果、発信元と一致する宛先情報が存在すると、この宛先情報に対応付けられている名前情報を付した分類項目を設定し、この分類項目を前記発信元が照合された情報に関連付けして記憶するため、利用者が煩雑な設定作業を行なう必要がなく、より簡単に受信された情報の分類と、その結果として、分類項目毎の表示とが可能となる。
【００１３】
請求項２、５に記載の発明によれば、記憶された情報を表示するよう指示されると、分類項目が関連付けられているものが存在するか否かを判断し、この判断によって分類項目が関連付けられている情報が存在すると判断すると、この分類項目に沿って記憶された情報を階層的に表示するため、記憶されている受信された情報を一つの名前情報に沿って階層的に表示することができ、より利用者に見易く表示することが可能となる。
【００１４】
請求項３に記載の発明によれば、分類項目に付された名前情報をフォルダ名として、記憶された情報を階層的に表示するため、より利用者に分かり易く表示することができる。
【発明を実施するための最良の形態】
【００１５】
［第１の実施の形態］
以下、この発明における第１の実施の形態について説明するが、この発明は、この実施の形態に限定されない。また、この発明の実施の形態は発明の最も好ましい形態を示すものであり、発明の用語はこれに限定されない。
【００１６】
先ず、本発明を電子メール通信機能を搭載した携帯電話に適用させた場合について、図１を参照して説明する。
携帯電話１は、例えば携帯電話であり、他の情報機器である情報端末１２１や携帯電話１２２から発信されてＬＡＮ（Local  Area  Network）回線や電話回線などである通信ネットワークＮを介して無線基地局ＢＣから送信される電子メール情報１００を受信可能に構成されている。電子メール情報１００は、発信元を示す発信元メールアドレス１０２と情報の本体部分であるメール本文１０４とを含んで構成される。
【００１７】
発信元メールアドレス１０２は、図１に示したように、ＤＮＳ（Domain Name System）などを利用して宛先となる情報機器やネットワークを特定可能な文字によるアドレスと、その情報機器やネットワークにおけるアカウント名とから構成される文字列である。図１では、「＠」より前の「ｂｂｂ」がアカウント名を示し、「＠」より後の「ｙｙｙ．ｊｐ」がそのアカウントの所属するネットワーク（ドメイン名）を示す。なお、発信元メールアドレス１０２は、送信元が個人であるメールアドレスでもよいが、一つの配信元から複数の宛先に送信するメーリングリストのアドレスであってもよい。また、アドレス自体も上述した構成に限定されることなく、電話番号や、ＭＡＣアドレス、ＩＰアドレスなどであって良い。
【００１８】
次に、携帯電話１の外観を図２を参照して説明する。携帯電話１は、その外観において、ディスプレイ３、入力部５、電話用スピーカ５０ａ、マイク４０、外部スピーカ５０ｂ、及び通信アンテナ６２を備えて構成される。
【００１９】
ディスプレイ３は、バックライト付きのカラーＬＣＤ（Liquid  Crystal  Display）やＥＬＤ（Electronic  Luminescent  Display）で構成され、携帯電話１の操作に係る各種情報や受信した情報などを表示する。
【００２０】
入力部５は、数字スイッチの他に、メニュースイッチ５ａ、表示スイッチ５ｂ、カーソルスイッチ５ｃ、決定スイッチ５ｄ、クリアスイッチ５ｅ、オフフックスイッチ５ｆ、オンフックスイッチ５ｇ、及び送信スイッチ５ｈを備えて構成される。
【００２１】
各数字スイッチには、”０”〜”９”の数字と、平仮名と、英字とが対応づけられている。利用者は、所定の操作により数字モード、仮名モード及び英字モードの何れかの入力モードに切り替えて、各文字の入力（以下、文字の入力のことを「データ入力」という。）を行なう。例えば、”１”には、「か行」の平仮名５文字と、英字の「Ａ」〜「Ｃ」とが対応づけられている。仮名モードのときは、数字スイッチを押下する回数に応じて、「か」〜「こ」の平仮名が選択され、また、英字モードのときは、「Ａ」〜「Ｃ」の英字が選択される。
【００２２】
メニュースイッチ５ａは、メニュー画面を表示させるためのスイッチである。表示スイッチ５ｂは、電子メールなどの送受信した情報を表示する専用のメニュー画面を表示させるためのスイッチである。カーソルスイッチ５ｃは、画面のスクロールや選択操作を行なうためのスイッチであり、上下左右の４方向を検出可能に構成される。例えば、利用者は、表示スイッチ５ｂを押下してディスプレイ３に表示される電子メールのメニュー画面上の項目やフォルダなどをカーソルスイッチ５ｃで選択し、決定スイッチ５ｄを押下（オン）することにより、その選択された項目の詳細をディスプレイ３に表示させる。
【００２３】
クリアスイッチ５ｅは、入力内容をクリアしたり、画面状態を直前の画面に戻したりするためのスイッチである。オフフックスイッチ５ｆは、入力された電話番号への発信や、着信時に通話を開始させるためのスイッチであり、オンフックスイッチ５ｇは、通話を終了させるためのスイッチである。また、オンフックスイッチ５ｇは、携帯電話１の電源スイッチとしても機能し、所定時間（例えば、３秒）押下され続けると、携帯電話１の電源投入／遮断（オン／オフ）の切り替えが行なわれる。
【００２４】
次に、図３を参照して、携帯電話１の機能的構成の一例を説明する。携帯電話１は、ＣＰＵ１０、表示ドライバ３１によって制御されるディスプレイ３、入力部５、マイク４０、スピーカ５０、通信アンテナ６２によって通話信号の送受信やデータ通信を行なうＲＦブロック６０、記憶部８０、ＲＡＭ９０（Random  Access  Memory）とを備えて構成される。
【００２５】
ＣＰＵ１０は、入力される指示に応じて所定のプログラムに基づいた処理を実行し、各機能部への指示やデータの入出力を行なう。具体的には、ＣＰＵ１０は、入力部５から入力される押下信号に応じて記憶部８０に格納されたプログラムを読み出し、当該プログラムに従って処理を実行する。そして、処理結果を表示するための表示制御信号を表示ドライバ３１に出力して、当該表示制御信号に従った処理結果をディスプレイ３に表示させる。
【００２６】
尚、画像や音声の信号処理用にＤＳＰ（Digital  Signal  Processor）を具備する構成としてもよい。その場合、本実施形態におけるＣＰＵ１０と、ＤＳＰとを同一のＬＳＩパッケージに組み込み、一体の回路として構成することとしてもよいし、ＣＰＵ１０がＤＳＰとしての機能をソフト的に実現する構成としてもよい。具体的に、ＤＳＰとは、デジタル信号処理用プロセッサのことであり、音声信号や画像信号を符号化して音声データや映像データを生成したり、逆に符号化された音声データや映像データを復号して音声信号や映像信号を抽出したりする。
【００２７】
入力部５は、プログラムの実行や、各種情報等の入力に必要なスイッチ群を備えた入力装置であり、利用者によって押下されたスイッチの押下信号をＣＰＵ１０に出力する。
【００２８】
マイク４０は、特に図示しないＡ／Ｄ変換部を備えており、利用者の送話音声をＡ／Ｄ変換し、送話音声データとしてＣＰＵ１０に出力する。
【００２９】
スピーカ５０は、特に図示しないＤ／Ａ変換部を備えており、ＣＰＵ１０から入力される音声信号や、着信音、操作確認音等の音声データをＤ／Ａ変換して音声出力する。尚、スピーカ５０は、図２に示す電話用スピーカ５０ａと外部スピーカ５０ｂとに相当するものである。
【００３０】
ＲＦブロック６０は、ＣＰＵ１０から入力される指示に基づき、通信アンテナ６２を介して無線通信網上の無線通信局との間で無線通信を行なう回路部であり、ＣＰＵ１０と協働することによって通話制御部と、メール送受信制御部との機能部が実現される。
【００３１】
通話制御部は、無線通信局からの着呼を示す信号を受信すると、着信音を外部スピーカ５０ｂから出力させる。また、発呼指示（オフフックスイッチ５ｆのオン）が入力されると、入力された電話番号への発信を行ない、無線通信局との間で無線通信回線を形成する。また、通話状態時に、受信した音声信号に基づく音声信号を増幅及び復調して電話用スピーカ５０ａに出力するとともに、マイク４０に入力された音声信号に基づく音声データを無線通信局へ無線送信する（この音声データの送受信を「通話処理」という。）。
【００３２】
メール送受信部は、ＲＦブロック６０により通話制御部と排他制御される機能部であり、文字データや画像データ等を含むメールデータを送受信する。具体的には、他の情報機器から送信されて無線通信網上の特に図示しないメールサーバを中継されるメールデータの受信を行ない、受信したメールデータを記憶部８０へ格納するとともに、ディスプレイ３に出力する。また、利用者によって作成されたメールデータをメールサーバを介して他の情報機器へ送信する。
【００３３】
ここで送受信される信号は、音声信号やデータ信号を送受信するための無線信号であり、無線信号の変復調方式としては、ＰＤＣ（Personal  Digital  Cellular）方式、ＣＤＭＡ（Code  Division  Multiple  Access）方式、ＧＳＭ（Global  System  for  Mobile  communication）方式等の各種公知技術の何れを利用してもよい。
【００３４】
記憶部８０は、ＥＥＰＲＯＭ（Electrically  Erasable  and  Programmable  Read  Only  Memory）などの読み書き可能な不揮発性メモリであり、各種初期設定、ハードウェアの検査、あるいは必要なプログラムのロードを行なうための初期プログラム、及び電子メールなどの受信した情報に関するデータを格納する。ＣＰＵ１０は、携帯電話１の電源投入時に上述した初期プログラムを実行することにより、携帯電話１の動作環境を設定する。また、記憶部８０は、携帯電話１の動作に係る各種機能を実現するためのデータやプログラムを格納する。
【００３５】
ここで、記憶部８０に格納されるデータについて図４を参照して説明する。図４（ａ）は、記憶部８０の構成を模式的に示す図であり、（ｂ）は、アドレス帳データ８４の構成を模式的に示す図であり、（ｃ）は、メールデータ８６の構成を模式的に示す図である。図４（ａ）によれば、記憶部８０は、基本プログラム８２、アドレス帳データ８４、及びメールデータ８６を格納する。
【００３６】
基本プログラム８２は、本実施形態に係るアドレス帳に基づいた受信メール表示処理や、電源投入後から各種操作の待機状態でありディスプレイ３に「待受画面」を表示するまでの処理など、各種基本処理を実現するためのプログラムである。なお、受信メール表示処理は、表示スイッチ５ｂからの押下信号に基づいてＣＰＵ１０が基本プログラム８２を読み出し、ＲＡＭ９０に展開することで開始される。
【００３７】
受信された情報であるアドレス帳データ８４は、図４（ｂ）に示すように、レコード毎に各レコードで重複しない単一な値が割り当てられる「メモリ番号」、名前情報である「名前」・「名前読み」、カテゴリを示す「グループ」、宛先情報である「電話番号Ｄ１」、「電話番号Ｄ２」、「メールアドレスＭ１」、「メールアドレスＭ２」、「メールアドレスＭ３」を一つのレコードとして格納する構成である。このため、名前情報と複数の宛先情報とを対応づけて記憶することができるとともに、例えば名前情報が同姓同名などの場合においても、重複しないメモリ番号で管理されるために識別することが可能である。
【００３８】
アドレス帳データ８４におけるデータの書込み／読み込みは、「メモリ番号」によりレコードを指定することで行なわれる。なお、「名前」や「名前読み」の五十音順によるレコードを指定してのデータの書込み／読み込みも、「メモリ番号」を順次指定して読み込んだ各レコードを比較することで実行することが可能である。
【００３９】
メールデータ８６は、図４（ｃ）に示すように、受信情報の送信元である「発信元」、受信日時を示す「受信日」・「受信時刻」、利用者が内容を表示して確認したか否かを示すフラグを記録する「開封判定」、及び受信情報の本体である「題名」・「メール本文」から構成される。メールデータ８６は、上述した受信情報が受信した順序で複数格納されたものであり、格納される受信情報の数が所定の数に達した場合は最も古い情報が削除されて新しい受信情報が追加される。
【００４０】
ＲＡＭ９０は、ＣＰＵ１０が実行する各種プログラムや、これらプログラムの実行に係るデータ等を一時的に保持するための記憶領域である。
【００４１】
次に、携帯電話１のＣＰＵ１０が行なうアドレス帳に基づいた受信メール表示処理の具体的な動作について、図５〜図７に示すフローチャートを参照して説明する。図５は、受信メール表示処理の主な流れを示すフローチャートであり、図６（ａ）は、フォルダ一覧表示処理の流れを示すフローチャートであり、図６（ｂ）は、メールカウント処理の流れを示すフローチャートであり、図７は、フォルダ内一覧表示処理の流れを示すフローチャートである。
【００４２】
先ず、ＣＰＵ１０は、アドレス帳データのどのメモリ番号や名前のレコードから受信メール情報の一覧表示を行なうかの指示入力を入力部５の決定スイッチ５ｄから受け付け（ステップＳ１１）、フォルダ一覧表示処理を実行して、メモリ番号順や名前の五十音順などの所定の順序で、指示されたレコード以降の名前情報をフォルダ名とし、その名前情報に対応するメールアドレスでメールデータ８６を振り分けた表示形式であるフォルダ毎の一覧表示を行なう（ステップＳ１２）。
【００４３】
ここで、フォルダ一覧表示処理（ステップＳ１２）について、図６を参照して詳細に説明する。フォルダ一覧表示処理が実行されると、図６（ａ）に示すように、ステップＳ１１で指定されたレコード位置に基づいてアドレス帳データの読み込み開始位置の設定と、フォルダ一覧表示処理の終了条件の設定とが行なわれる（ステップＳ２１）。ここでいう終了条件とは、ディスプレイ３の表示領域に表示可能なフォルダ数や、表示するメモリ番号の範囲（終了番号）、名前の五十音順である場合の「あ」〜「お」などで定義される五十音順の範囲（名前の終了条件）である。
【００４４】
ステップＳ２１の後、アドレス帳データの読み込み位置（レコード位置）におけるアドレスデータ（電話番号又はメールアドレス）が取得され（ステップＳ２２）、受信メール数と未開封メール数とが「０」に初期化設定され（ステップＳ２３）、そのアドレスデータに対応する受信メールのカウント処理が行なわれる（ステップＳ２４）。
【００４５】
ステップＳ２４におけるメールカウント処理が実行されると、図６（ｂ）に示すように、記憶部８０に格納されたメールデータ８６の全てを順次（ｉ＝１からＥＮＤまで）読み込むループ（ステップＳ３１〜Ｓ３８）が行なわれる。
【００４６】
メールデータ読み込みのループに入ると、メールデータからｉ番目の発信元が取得され（ステップＳ３２）、その取得された発信元とステップＳ２２で取得されたアドレスデータとの照合が行なわれて（ステップＳ３３）、ステップＳ３４により、照合結果が一致するか否かの判定が行なわれる。
【００４７】
ステップＳ３４において、一致すると判定された場合、つまり、アドレス帳からレコードが指定されて読み込まれた複数の通信先（メールアドレス）のいずれかとメールの発信元とが一致する場合に、受信メール数がインクリメントされ（ステップＳ３５）、さらに「開封判定」に一度閲覧したことを示す「開封済み」のフラグが格納されていない場合は（ステップＳ３６：ＮＯ）、未開封メール数がインクリメントされて（ステップＳ３７）、次のループに進む。
なお、ステップＳ３４において、一致しない場合（ステップＳ３４：ＮＯ）はそのまま次のループに進み、一致するが「開封済み」のフラグが格納されている場合（ステップＳ３６：Ｙ）は受信メール数だけをインクリメントして次のループに進む。
上述したステップＳ３５、Ｓ３７により、通信先のメールアドレスの何れかと受信メールの発信元とが一致すると判定された当該受信メールの閲覧の有無を計数することできる。
【００４８】
ステップＳ２４におけるメールカウント処理の後、レコード位置における名前情報を元にしたフォルダ名が設定され、ステップＳ３５、ステップＳ３６でカウント（インクリメント）された受信メール数、及び未開封メール数とが表示され（ステップＳ２５）、終了条件を満たすか否かが判定されて（ステップＳ２６）、満たさない場合は（ステップＳ２７）アドレス帳データの読み込み位置がインクリメントされてステップＳ２２に戻り、満たす場合はフォルダ一覧表示処理（ステップＳ１２）が終了する。
【００４９】
なお、上述したフォルダ一覧表示処理においては、ステップＳ２７でアドレスデータの読み込み位置をインクリメントして次のアドレスデータに移行する際に、ステップＳ２４によりインクリメントされた受信メール数と未開封メール数とをカウント受信メール数とカウント未開封メール数として積算する構成を設ける構成であっても良い。この場合は、ステップＳ２６で終了条件を満たして終了する前に、メールデータ８６に格納された総メール数からカウント受信メール数を減算した結果と、総未開封メール数からカウント未開封メール数を減算した結果とから、アドレス帳に含まれない発信元からのメール情報である「その他」フォルダを表示することができる。
【００５０】
ステップＳ１２の後、どのフォルダの内部を表示するかの選択入力が入力部５の決定スイッチ５ｄから受け付けられ（ステップＳ１３）、選択されたフォルダに係る受信メールの一覧を表示するフォルダ内一覧表示処理（ステップＳ１４）が行なわれる。
【００５１】
ここで、フォルダ内一覧表示処理について、図７を参照して詳細に説明する。フォルダ内一覧表示処理が実行されると、選択されたフォルダ（アドレス帳のレコード）に対応するアドレスデータが取得されて（ステップＳ４１）、メールデータ８６を順次読み込み（ｉ＝１からＥＮＤまで）、当該アドレスデータと一致する受信メールを表示するループ処理（ステップＳ４２〜Ｓ４７）が行なわれる。
【００５２】
ステップＳ４２からのループ処理に入ると、ｉ番目のメールデータが取得され（ステップＳ４３）、当該メールデータの発信元とステップＳ４１で取得されたアドレスデータとの照合が行なわれて（ステップＳ４４）、照合が一致するか否かの判定が行なわれる（ステップＳ４５）。
【００５３】
ステップＳ４５において、一致すると判定された場合（ステップＳ４５：Ｙ）、つまり、選択されたフォルダに対応する複数の通信先（メールアドレス）のいずれかとメールデータの発信元とが一致する場合に、「受信日」・「受信時刻」・「題名」などからなる当該メールデータの一覧用情報が表示され（ステップＳ４６）、次のループに進む。
なお、ステップＳ４５において一致しない場合は、そのまま次のループに進む。
【００５４】
ステップＳ１４の後、どの受信メールを詳細に表示するかの選択入力が入力部５の決定スイッチ５ｄから受け付けられ（ステップＳ１５）、選択された受信メールに関する「開封判定」に開封済みのフラグが格納されるとともに本文などの詳細な情報が表示されて（ステップＳ１６）、入力部５のオンフックスイッチ５ｇから終了指示が入力されたか否かなどの終了判定が行なわれ（ステップＳ１７）、終了又はステップＳ１４の処理に戻る。なお、終了指示が入力されずにステップＳ１７から戻る先は、ステップＳ１４だけでなくステップＳ１２であっても良いし、入力部５のカーソルスイッチ５ｃおよび決定スイッチ５ｄによりステップＳ１２又はステップＳ１４の何れかを選ぶ構成であっても良い。
【００５５】
次に、上述した受信メール表示処理によりディスプレイ３に表示される表示画面について、図８に例示して説明する。
【００５６】
携帯電話１は、ディスプレイ３に「待受画面」を表示した各種操作の待機状態から表示スイッチ５ｂが押下されることにより、メール情報を確認する初期画面である画面Ｇ１１（「Ｅメールメニュー」）を表示する。ここで、「受信ボックス」が選択されることで、受信メール表示処理のステップＳ１２までを実行して、画面Ｇ２１、又は画面Ｇ２２のようなアドレス帳の名前情報を元にした「受信フォルダ一覧画面」を受信ボックスフォルダの下位の階層としてフォルダ表示する。
【００５７】
画面Ｇ２１は、アドレス帳のメモリ番号順に表示した画面の例である。画面Ｇ２１には、登録された名前情報を元にフォルダ表示され、そのフォルダに関する受信メールの未読メール数と既読メール数が表示される。
尚、画面Ｇ２２は、アドレス帳の名前情報を五十音順に表示した画面の例である。画面Ｇ２２には、「あ」行の名前で登録された名前情報を元にフォルダ表示され、画面Ｇ２１と同様にメール数が表示される。
【００５８】
携帯電話１は、「受信フォルダ一覧画面」を表示した状態で、利用者の指示により「山田太郎」のフォルダが選択されてステップＳ１４を実行することで、画面Ｇ３１、又は、画面Ｇ３２のような選択されたフォルダに応じた「受信メール一覧画面」を表示する。
【００５９】
画面Ｇ３１は、アドレス帳で名前情報が「山田太郎」であるレコードのメールアドレス（通信先）が発信元である受信メールを一覧表示した画面である。画面Ｇ３１には、各メール毎に一覧情報として、「受信日」・「受信時刻」・「発信元」・「題名」などが表示される。なお、「発信元」にアドレス帳の名前情報を表示する構成の他には、画面Ｇ３２のように、一致すると判定されたアドレス帳のメールアドレスデータに対応する付加情報を表示する構成であっても良い。
【００６０】
携帯電話１は、「受信メール一覧画面」を表示した状態で、所定のメールが選択されてステップＳ１６を実行することで、画面Ｇ４１のような一つの受信メールについての詳細な情報が確認できる「受信メール表示画面」を表示する。
【００６１】
以上のように、携帯電話１は、メールデータ８６による受信メールの表示を、その受信情報における発信元とアドレス帳データ８４の名前情報に対応する複数の宛先情報とを照合し、当該名前情報に基づいたフォルダに分類して表示する。さらに、携帯電話１は、名前情報に基づいたフォルダが選択された場合に、当該名前情報に対応する複数の宛先情報と発信元が一致する受信メールを一覧表示する。
【００６２】
このため、利用者は、分類条件の設定に際し煩雑な操作を行うこと無く、通信先情報に登録されている内容に基づいて容易に受信情報を分類して表示・確認することができる。
【００６３】
［第２の実施の形態］
次に、第２の実施の形態として、表示する受信メールのフォルダを管理するフォルダ管理テーブルデータなどを備える構成について図９〜図  を参照して説明する。なお、簡略化のため、第１の実施の形態と同一な構成については同一の符号を付して説明を省略し、第２の実施の形態に特徴的な部分についてのみを説明する。
【００６４】
先ず、記憶部８０に格納されるデータの構成について図９を参照して説明する。図９（ａ）は、記憶部８０に格納されるデータの構成を模式的に示した図であり、（ｂ）は、記憶部８０のメモリマップを示した図である。
【００６５】
記憶部８０は、図９（ａ）に示すように、基本プログラム８２、アドレス帳データ８４、受信リストテーブルデータ８６ａ、メール本文データ８６ｂ、フォルダ管理データ８７、及び各種データ領域８８を内部に格納する構成である。この記憶部８０に格納されるデータは、図９（ｂ）に示すように、メモリアドレスをポインタ指定するにより、所定のデータに対するアクセスが可能である。
【００６６】
アドレス帳データ８４の各レコードには、更に「フォルダアイコン設定フラグ」を格納する構成である。「フォルダアイコン設定フラグ」は、そのレコードにおける名前情報に対応するフォルダの存在の有無についての情報を格納する。名前情報に対応するフォルダが存在する場合は、後述するフォルダ管理データ８７において対応するフォルダを示すレコード番号を参照するためのアドレスを格納する。
【００６７】
メールデータ８６は、受信したメール毎に１つのレコードとして、「受信日時」、「題名」、「メール本文アドレス」、「添付ファイルアドレス」、及び「フォルダ設定フラグ」を格納する受信リストテーブルデータ８６ａと、メール本文に関する情報を格納するメール本文データ８６ｂとからなる。
【００６８】
受信リストテーブルデータ８６ａにおいて、「本文メールアドレス」は、受信したメールに対応する本文データをメール本文データ８６ｂから参照するためのアドレスを格納する。「添付ファイルアドレス」は、受信したメールに添付ファイルがあった場合に各種データ領域８８に格納する「添付ファイルデータ」を参照するためのアドレスを格納する。「フォルダ設定フラグ」は、受信したメールに対応するフォルダの有無についての情報を格納する。対応するフォルダが存在する場合は、フォルダ管理データ８７において対応するフォルダを示すレコード番号を参照するためのアドレスを格納する。
【００６９】
フォルダ管理データ８７は、レコード毎に単一の番号が割り当てられる「レコード番号」、各種データ領域に格納されたフォルダアイコンデータ（フォルダアイコンの画像データ）のアドレスを格納する「フォルダアイコンアドレス」、及びフォルダ名称としてアドレス帳データ８４の所定レコードの名前情報のアドレスを格納する「フォルダ名称アドレス」からなる。このため、フォルダ管理データ８７は、受信メールの一覧表示時などにおけるフォルダの表示情報をフォルダ毎にレコードで管理し、表示するフォルダの名称をアドレス帳データの名前情報とすることが可能となる。
【００７０】
各種データ領域８８は、フォルダを画面上に表示する際のアイコン画像を格納する「フォルダアイコンデータ」と、受信メールに添付された添付ファイルを格納する「添付ファイルデータ」などからなる。
【００７１】
次に、メールを受信したタイミングで、携帯電話１のＣＰＵ１０が行なう受信メールの発信元とアドレス帳のデータとを元にしたフォルダ設定処理について、図１０を参照して説明する。
【００７２】
先ず、ＣＰＵ１０は、受信メールの発信元を取得し（ステップＳ１０１）、アドレス帳データ８４のメールアドレスと照合して（ステップＳ１０２）、アドレス帳の中に一致するメールアドレスが存在しない、つまり、アドレス帳を元にしたフォルダ表示をすることができない受信メールである場合（ステップＳ１０３：Ｎ）は、そのまま終了する。
【００７３】
ステップＳ１０２の結果、発信元と一致するメールアドレスが格納されたレコードがアドレス帳データ８４の中にあると判定された場合は、そのレコードの設定フラグが設定されているか否か、つまり、そのレコードに対するフォルダを新規に作成するか否かが判定される（ステップＳ１０４）。
【００７４】
ステップＳ１０４において、フォルダアイコン設定フラグが設定されておらず、新規にフォルダを作成する場合（ステップＳ１０４：Ｎ）、一致すると判定されたアドレス帳データ８４のレコードにおける名前情報を参照するフォルダ名称アドレスを設定した新規レコードがフォルダ管理データ８７に作成され（ステップＳ１０５）、アドレス帳データ８４のフォルダアイコン設定フラグに、フォルダ管理データ８７に新規作成されたレコード番号を参照するためのアドレスが設定される（ステップＳ１０６）。
【００７５】
ステップＳ１０６の後、又は新規にフォルダを作成しない場合（ステップＳ１０４：Ｙ）は、一致すると判定された受信メールのフォルダ設定フラグに、フォルダ管理データ８７で新規作成されたレコード番号、又はステップＳ１０４で設定されていると判定されたフォルダアイコン設定フラグが参照しているレコード番号と同一のレコード番号を参照するためのアドレスが設定されて（ステップＳ１０７）、終了する。
【００７６】
上述したフォルダ設定処理により、予め受信メールの発信元とアドレス帳のデータとを元にしたフォルダの設定状況を記憶部８０に格納させることが可能となる。なお、上記処理は、メールの受信時に実行されることを想定しているが、アドレス帳のデータ更新時などに、記憶部８０に格納された全ての受信メールに対して行なう構成であってもよい。この場合は、最新のアドレス帳データに応じたフォルダ表示を行なうことができる。
【００７７】
次に、携帯電話１のＣＰＵ１０が行なう受信メール表示処理の具体的な動作について、図１１〜図１２に示すフローチャートを参照して説明する。図１１は、受信メール表示処理の主な流れを示すフローチャートであり、図１２は、フォルダ一覧表示処理（ステップＳ１１２）の流れを示すフローチャートであり、図１３は、フォルダ内一覧表示処理（ステップＳ１１４）の流れを示すフローチャートである。
【００７８】
先ず、ＣＰＵ１０は、フォルダ管理データ８７におけるどのレコード番号のフォルダから一覧表示を行なうかの指示入力を入力部５の決定スイッチ５ｄから受け付け（ステップＳ１１１）、フォルダ一覧表示処理を実行する（ステップＳ１１２）。
【００７９】
フォルダ一覧表示処理（ステップＳ１１２）が実行されると、図１２に示すように、ステップＳ１１１で指定された指定されたレコード番号を先頭（ｉ＝１）としたフォルダ管理データ８７の読み込みループが行なわれる（ステップＳ１２１〜Ｓ１２６）。
【００８０】
フォルダ管理データ８７の読み込みループに入ると、レコード番号がｉ番目のデータが取得され（ステップＳ１２２）、そのレコードにおけるフォルダ名称アドレスに基づいた名前でフォルダが表示され（ステップＳ１２３）、受信リストテーブルデータ８６ａにおいてｉ番目のレコード番号が参照されているメールデータ、つまり、レコード番号に関するフォルダに属するメールデータが開封済みフラグを元に既読／未読数を含んでカウントされ（ステップＳ１２４）、そのカウントされたデータが表示されて（ステップＳ１２５）、次のループに移行される。このステップＳ１２３の処理により、フォルダ名称アドレスに基づいた名前、つまりアドレス帳データ８４の名前情報で表示することができ、より利用者に分かり易い表示を行なうことが可能となる。
【００８１】
上述した読み込みループの後、受信リストテーブルデータ８６ａにおいてフォルダ設定フラグが設定されていないメールデータ、つまり、アドレス帳データ８４を元にしたフォルダに属さないメールデータが開封済みフラグを元に既読／未読数を含んでカウントされ（ステップＳ１２７）、そのカウント数が「その他」フォルダとして表示され（ステップＳ１２８）、終了する。
【００８２】
ステップＳ１１２の後、どのフォルダの内部を表示するかの選択入力（フォルダ管理データ８７のレコード番号など）が入力部５の決定スイッチ５ｄから受け付けられ（ステップＳ１１３）、選択されたフォルダに係る受信メール一覧を表示するフォルダ内一覧表示処理（ステップＳ１１４）が行なわれる。
【００８３】
フォルダ内一覧表示処理（ステップＳ１１４）が実行されると、図１３に示すように、受信リストテーブルデータ８６ａに格納された全てのメールデータを順次読み込むループ（ｉ＝１からＥＮＤまで）が行なわれる（ステップＳ１３１〜Ｓ１３５）。
【００８４】
受信リストテーブルデータ８６ａの読み込みループに入ると、ｉ番目のフォルダ設定フラグが取得され（ステップＳ１３２）、そのフォルダ設定フラグとステップＳ１１２で選択されたレコード番号とが一致するか否か、つまり、選択されたフォルダに属するメールデータであるか否かが判定され（ステップＳ１３３）、一致する場合（ステップＳ１３３：Ｙ）は当該メールデータの一覧用情報が表示され（ステップＳ１３４）、次のループに進む。
なお、ステップＳ１３３において一致しない場合は、そのまま次のループに進む。
【００８５】
ステップＳ１１４の後、前述した第１の実施の形態のステップＳ１５〜Ｓ１７と同様の処理がステップＳ１１５〜Ｓ１１７で行なわれて、終了する。
【００８６】
以上のように、第２の実施の形態においても、前述した第１の実施の形態と同様な効果、つまり図８と同様な表示画面を得ることができる。
さらに、第２の実施の形態においては、フォルダ設定処理を行なうことで、予めアドレス帳データ８４にフォルダアイコン設定フラグを設定することができる。このため、アドレス帳の所定の人物データを確認する画面において、受信メールの表示指示があった場合に、その人物データが格納されたレコードのフォルダアイコン設定フラグに基づいたフォルダ内一覧表示処理（ステップＳ１１４）を行なうことで、その人物からの受信メールを一覧表示することができるため、利便性を向上させることができる。また、フォルダ一覧表示処理とフォルダ内一覧表示処理とにより、人物毎の階層表示が可能となる。
【００８７】
なお、本発明は、発明の趣旨を逸脱しない範囲で自由に変更、改良が可能である。例えば、本実施の形態においては、電子メールシステムを適用させて受信情報の表示を例示したが、音声通信における着信履歴の表示やチャットシステムにおける通信ログであってもよく、発信元の情報を含む様々な受信情報の表示に対して適用することが可能である。
【図面の簡単な説明】
【００８８】
【図１】本発明を適用した携帯電話１が受信する情報の概要について説明する図である。
【図２】携帯電話１の外観図である。
【図３】携帯電話１の機能的構成を模式的に示す図である。
【図４】（ａ）は、第１の実施の形態における記憶部８０の構成を模式的に示す図であり、（ｂ）は、アドレス帳データ８４の構成を例示する図であり、（ｃ）は、メールデータ８６の構成を例示する図である。
【図５】第１の実施の形態における受信メール表示処理を示すフローチャートである。
【図６】（ａ）は、第１の実施の形態におけるフォルダ一覧処理を示すフローチャートであり、（ｂ）は、メールカウント処理を示すフローチャートである。
【図７】第１の実施の形態におけるフォルダ内一覧処理を示すフローチャートである。
【図８】受信メール表示処理によりディスプレイ３に表示される表示画面を例示する図である。
【図９】（ａ）は、第２の実施の形態における記憶部８０の構成を模式的に示す図であり、（ｂ）は、第２の実施の形態における記憶部８０のメモリマップを例示する図である。
【図１０】第２の実施の形態におけるフォルダ設定処理を示すフローチャートである。
【図１１】第２の実施の形態における受信メール表示処理を示すフローチャートである。
【図１２】第２の実施の形態におけるフォルダ一覧表示処理を示すフローチャートである。
【図１３】第２の実施の形態におけるフォルダ内一覧表示処理を示すフローチャートである。
【符号の説明】
【００８９】
１  携帯電話（情報通信端末）
３  ディスプレイ（表示手段）
５  入力部
５ａ  メニュースイッチ
５ｂ  表示スイッチ
５ｃ  カーソルスイッチ
５ｄ  決定スイッチ（指示手段）
５ｅ  クリアスイッチ
５ｆ  オフフックスイッチ
５ｇ  オンフックスイッチ
５ｈ  送信スイッチ
Ｎ  通信ネットワーク
ＢＣ  無線基地局
Ｇ１１、Ｇ２１、Ｇ２２、Ｇ３１、Ｇ３２、Ｇ４１  表示画面
１０  ＣＰＵ（照合手段、設定手段、記憶制御手段、判断手段）
３１  表示ドライバ
３０  入力部
４０  マイク
５０  スピーカ
５０ａ  電話用スピーカ
５０ｂ  外部スピーカ
６０  ＲＦブロック（受信手段）
６２  通信アンテナ（受信手段）
８０  記憶部
８２  基本プログラム
８４  アドレス帳データ（通信先記憶手段）
８６  メールデータ（記憶手段）
８６ａ  受信リストテーブルデータ
８６ｂ  メール本文データ
８７  フォルダ管理データ
８８  各種データ領域
９０  ＲＡＭ
１００  電子メール情報
１０２  発信元メールアドレス
１０４  メール本文
１２１  情報端末
１２２  携帯電話
Ｄ１、Ｄ２  電話番号
Ｍ１、Ｍ２、Ｍ３  メールアドレス
【図１】
2006293828.tif 000003
【図２】
2006293828.tif 000004
【図３】
2006293828.tif 000005
【図４】
2006293828.tif 000006
【図５】
2006293828.tif 000007
【図６】
2006293828.tif 000008
【図７】
2006293828.tif 000009
【図８】
2006293828.tif 000010
【図９】
2006293828.tif 000011
【図１０】
2006293828.tif 000012
【図１１】
2006293828.tif 000013
【図１２】
2006293828.tif 000014
【図１３】
2006293828.tif 000015